(57)【要約】【課題】  原材料の過剰使用や製造の別工程を不要とし即ち製造が安価且つ容易であると共に、嵌脱が容易で使い勝手が良好となるゴム手袋を得る。【解決手段】  ゴム手袋の全長として指先から手のくるぶし付近までの長さを有し、前記ゴム手袋の手の甲側において開口部より略Ｕ字状の切欠け部を成形し、当該ゴム手袋を嵌めた際に手の甲の半分以上が露出できる構造とする。また、前記切欠け部の端部に水切り部を成形し、当該ゴム手袋を嵌めて水仕事を行った際に前記水切り部により水が手の甲側に浸入するのを防止できる構造とする。【選択図】図１
2007291584.tif 000002
【特許請求の範囲】
【請求項１】
ゴム手袋の全長として指先から手のくるぶし付近までの長さを有し、前記ゴム手袋の手の甲側において開口部より略Ｕ字状の切欠け部を成形し、当該ゴム手袋を嵌めた際に手の甲の半分以上が露出できる構造としたことを特徴とする、嵌脱容易なゴム手袋。
【請求項２】
上記切欠け部の端部に水切り部を成形し、当該ゴム手袋を嵌めて水仕事を行った際に前記水切り部により水が手の甲側に浸入するのを防止できる構造としたことを特徴とする、請求項１に記載の嵌脱容易なゴム手袋。
【発明の詳細な説明】
【技術分野】
【０００１】  本発明は、ゴム手袋に関し、特に一般家庭で使用される炊事・洗濯・掃除用等のゴム手袋において、嵌脱が容易で使い勝手が良好となるゴム手袋に関するものである。
【背景技術】
【０００２】  従来、一般家庭において炊事・洗濯・掃除等での水仕事を行う場合、洗剤による手荒れの防止や汚水に直に触れるのを防止するため、ゴム手袋を使用している。該ゴム手袋は、合成樹脂やゴム素材にて成形され、内部の蒸れを和らげるため当該ゴム手袋の内面に特殊な樹脂加工や繊維加工を施した比較的厚手のものが一般的である。また、手指に密着して指先の感触が良好に得られることにより細かな仕事が行える、使い捨てタイプの薄手のゴム手袋もある。【０００３】  上記ゴム手袋は、内部に水が入るのを防止するため、全長約２５ｃｍ以上を有し、手指，手のひら，手の甲及び腕の一部を全体に覆うように成形されている。しかし、従来のゴム手袋を嵌めて仕事をすると、短時間のうちに内部が蒸れてくるため、仕事の中断又は終了によりゴム手袋を外す際に内面と手指等がへばり付いて容易に外せないという問題点があった。該問題点は、手指が密着する薄手のゴム手袋では更に顕著であった。【０００４】  このため、例えば実用新案登録第３０４２３４３号の『溝筋入りゴム手袋』では、ゴム手袋の手の甲側に膨らみを持たせ、そこから連続して各指の先端まで１〜３本の膨らみのある溝筋を付けることにより、ゴム手袋の内面と指及び甲との接触面積を減少させ、これにより摩擦を減少させて外し易くしたゴム手袋について記載され、また、実用新案登録第３０９４５３２号の『脱ぎ外し容易なゴム手袋』では、ゴム手袋の内面と手との隙間に吐気を経口吹入する略ストロー状吐気注入口を設け、ゴム手袋を外す際に前記吐気注入口より吐気を吹き入れて風船のように膨らませることにより、前記例と同様にゴム手袋の内面と手との摩擦を減少させて外し易くしたゴム手袋について記載されている。【０００５】
【特許文献１】実用新案登録第３０４２３４３号
【特許文献２】実用新案登録第３０９４５３２号
【発明の開示】
【発明が解決しようとする課題】
【０００６】  しかしながら、上記実用新案登録第３０４２３４３号においては、手の甲側に膨らみを持たせた部分や溝筋が手の表面と常に接触しているため、使用時における感触が悪いという問題点があった。また、前記膨らみを持たせた部分や溝筋部分に原材料を多く使用することにより、製品コストが上昇してしまうといった問題点もあった。【０００７】  また、上記実用新案登録第３０９４５３２号においては、略ストロー状吐気注入口より吐気を吹き入れてゴム手袋を風船のように膨らますとあるが、前記吐気は容易に手とゴム手袋の間隙から漏れてしまうため、ゴム手袋を外す最中吐気を吹き入れ続ける必要があり、面倒であるという問題点があった。また、略ストロー状吐気注入口を設けるための別な製造工程が必要になることにより、製品コストが上昇してしまうといった問題点もあった。【０００８】  また、上記何れの公報においてもゴム手袋の全長は従来品と同じであるため、ゴム手袋の内面と手との部分的な摩擦が減少できても、ゴム手袋内部の蒸れにより、手指，手のひら，手の甲及び腕の一部がゴム手袋内面にへばり付き易く、それ程の効果は得られないという問題点があった。更には、軽微な水仕事を行う場合には、従来のゴム手袋の全長では長過ぎるという問題点もあった。【０００９】  本発明は、上記問題点を解決するために成されたものであり、原材料の過剰使用や製造の別工程を不要とし即ち製造が安価且つ容易であると共に、嵌脱が容易で使い勝手が良好となるゴム手袋を提供することを目的とする。
【課題を解決するための手段】
【００１０】  上記課題を解決するため、本発明の嵌脱容易なゴム手袋にあっては、ゴム手袋の全長として指先から手のくるぶし付近までの長さを有し、前記ゴム手袋の手の甲側において開口部より略Ｕ字状の切欠け部を成形し、当該ゴム手袋を嵌めた際に手の甲の半分以上が露出できる構造とする。【００１１】  また、上記切欠け部の端部に水切り部を成形し、当該ゴム手袋を嵌めて水仕事を行った際に前記水切り部により水が手の甲側に浸入するのを防止できる構造とする。
【発明の効果】
【００１２】  本発明の嵌脱容易なゴム手袋によれば、全長が従来のものより短いものであると共に、手の甲側において略Ｕ字状の切欠け部を成形したものであるため、原材料の過剰使用や製造の別工程を必要とせず容易に製造できることから製造コストが安価になるという効果を奏する。また、手の甲が空気に触れているため蒸れが少なく、ゴム手袋の内面と手との接触面積の減少により摩擦も減少するため、嵌脱が容易で使い勝手が良好になるという絶大なる効果を奏することができる。
【発明を実施するための最良の形態】
【００１３】  本発明を実施するための最良の形態を図を用いて説明する。【００１４】  図１は本発明の嵌脱容易なゴム手袋の外観図であり、（ａ）は手の甲側，（ｂ）は手のひら側を示している。該図に示すように、ゴム手袋１の全長として指先から手のくるぶし付近までの長さとする。実際には、全長約１８ｃｍ〜２０ｃｍ程度とし、従来のゴム手袋より短いものとする。また、（ａ）に示すように、前記ゴム手袋１の手の甲側において開口部２より略Ｕ字状の切欠け部３を成形し、当該ゴム手袋１を嵌めた際に手の甲の半分以上が露出できる構造とする。また、（ｂ）に示すように、前記ゴム手袋１の手のひら側は、従来と同様に滑り止めパターン５を成形する。【００１５】  また、上記切欠け部３の端部に水切り部４を成形し、当該ゴム手袋１を嵌めて水仕事を行った際に前記水切り部４により水が手の甲側に浸入するのを防止できる構造とする。【００１６】  図２は図１におけるＡ−Ａ断面矢視図であり、水切り部４の構造として（ａ）では切欠け部３の端部を適度な半径を持たせて外側に折り曲げて成形したものであり、（ｂ）では切欠け部３の端部を内側に折り曲げて成形したものを示している。水切りの効果は、（ａ）の方が（ｂ）より多く得られるものである。なお、該図は水切り部４の一実施例図であり、上記構造に限定することなく他の構造、例えば細長いチューブ又はひも状素材を切欠け部３の端部に沿わせて固着させた構造であっても構わない。【００１７】  図３は本発明の嵌脱容易なゴム手袋を手に嵌めた状態図であり、ゴム手袋１の開口部３の端部は手７のくるぶし付近までであり腕６を覆うことがなく、従来のゴム手袋より短いものである。また、前記開口部３により手７の甲の半分以上が露出されるため、ゴム手袋１の内部の蒸れが減少することになる。ここで、軽微な水仕事を行った場合、指の間等から出た水の流れ８は上記水切り部４にてゴム手袋１の外部に排除されるため、手７の甲側に浸入することがない。【００１８】  以上説明したように、本発明のゴム手袋１は原材料の過剰使用や製造の別工程を必要とせず容易に製造できることから製造コストが安価になる。また、手７の甲が空気に触れているため蒸れが少なく、ゴム手袋１の内面と手７との接触面積の減少により摩擦も減少するため、嵌脱が容易で使い勝手が良好になるものである。【００１９】  なお、本発明のゴム手袋１は、炊事・洗濯・掃除等での水仕事に用いる他に、ペンキ塗り，ワックス掛け，機械・自動車等の修理，庭・畑仕事，理美容院での洗髪・パーマ・毛染めなど、多くの分野において利用することができる。
【図面の簡単な説明】
【００２０】
【図１】本発明の嵌脱容易なゴム手袋の外観図である。
【図２】図１におけるＡ−Ａ断面矢視図である。
【図３】本発明の嵌脱容易なゴム手袋を手に嵌めた状態図である。
【符号の説明】
【００２１】    １  ゴム手袋
２  開口部
３  切欠け部
４  水切り部
５  滑り止めパターン
６  腕
７  手の甲
８  水の流れ
【図１】
2007291584.tif 000003
【図２】
2007291584.tif 000004
【図３】
2007291584.tif 000005